(57)【要約】【課題】ステレオ信号復号装置において従来と異なる処理を行わなくても、Ｌチャネルの信号レベルとＲチャネルの信号レベルに偏りが大きい場合に生じる量子化雑音を聴こえ難くすることができるステレオ信号符号化装置を提供する。【解決手段】Ｌチャネル信号とＲチャネル信号とを入力とし、入力された２つのチャネルの信号の和信号（以下、Ｍチャネル信号という）を符号化するＭチャネル符号化部と、入力された２つのチャネルの信号の差信号（以下、Ｓチャネル信号という）に、２つのチャネルの信号のレベル比またはレベル差が大きくなるほど小さな値をとる重み付け係数γを乗じた信号を符号化するＳチャネル符号化部とを備える。【選択図】図４
2013003330.tif 000002
【特許請求の範囲】
【請求項１】
Ｌチャネル信号とＲチャネル信号とを入力とするステレオ信号符号化方法であって、
前記入力された２つのチャネルの信号の和信号（以下、Ｍチャネル信号という）を符号化するＭチャネル符号化ステップと、
前記入力された２つのチャネルの信号の差信号（以下、Ｓチャネル信号という）に、前記２つのチャネルの信号のレベル比またはレベル差が大きくなるほど小さな値をとる重み付け係数γを乗じた信号を符号化するＳチャネル符号化ステップと、
を有することを特徴とするステレオ信号符号化方法。
【請求項２】
Ｌチャネル信号とＲチャネル信号とを入力とするステレオ信号符号化方法であって、
前記入力された２つのチャネルの信号の和信号（以下、Ｍチャネル信号という）に重み付け係数α（αは任意の実数）を乗じた信号を符号化するＭチャネル符号化ステップと、
前記入力された２つのチャネルの信号の差信号（以下、Ｓチャネル信号という）に、前記２つのチャネルの信号のレベル比またはレベル差が大きくなるほど小さな値をとる重み付け係数γと、前記重み付け係数αとを乗じた信号を符号化するＳチャネル符号化ステップと、
を有することを特徴とするステレオ信号符号化方法。
【請求項３】
請求項１または２に記載のステレオ信号符号化方法であって、
前記Ｓチャネル符号化ステップにおいて、
前記２つのチャネルの信号のレベル比またはレベル差が所定値以下である場合に、前記重み付け係数γを所定の上限値γｍａｘ（０＜γｍａｘ≦１）とすること
を特徴とするステレオ信号符号化方法。
【請求項４】
請求項１または２に記載のステレオ信号符号化方法であって、
前記Ｓチャネル符号化ステップにおいて、
前記２つのチャネルの信号のレベル比またはレベル差が所定値以上である場合に、前記重み付け係数γを所定の下限値γｍｉｎ（０＜γｍｉｎ＜１）とすること
を特徴とするステレオ信号符号化方法。
【請求項５】
Ｌチャネル信号とＲチャネル信号とを入力とするステレオ信号符号化装置であって、
前記入力された２つのチャネルの信号の和信号（以下、Ｍチャネル信号という）を符号化するＭチャネル符号化部と、
前記入力された２つのチャネルの信号の差信号（以下、Ｓチャネル信号という）に、前記２つのチャネルの信号のレベル比またはレベル差が大きくなるほど小さな値をとる重み付け係数γを乗じた信号を符号化するＳチャネル符号化部と、
を備えることを特徴とするステレオ信号符号化装置。
【請求項６】
Ｌチャネル信号とＲチャネル信号とを入力とするステレオ信号符号化装置であって、
前記入力された２つのチャネルの信号の和信号（以下、Ｍチャネル信号という）に重み付け係数α（αは任意の実数）を乗じた信号を符号化するＭチャネル符号化部と、
前記入力された２つのチャネルの信号の差信号（以下、Ｓチャネル信号という）に、前記２つのチャネルの信号のレベル比またはレベル差が大きくなるほど小さな値をとる重み付け係数γと、前記重み付け係数αとを乗じた信号を符号化するＳチャネル符号化部と、
を備えることを特徴とするステレオ信号符号化装置。
【請求項７】
請求項１から４の何れかに記載のステレオ信号符号化方法を実行すべき指令をコンピュータに対してするプログラム。
【発明の詳細な説明】
【技術分野】
【０００１】
本発明は音声、音楽などのステレオ音響信号を符号化するステレオ信号符号化方法、ステレオ信号符号化装置、プログラムに関する。
【背景技術】
【０００２】
一般的なステレオ音響信号とは、同じ特性のマイク２本を左右に離して設置し、収録された２チャネルの音響信号を指す。これら２チャネルの音響信号を、左右２本のスピーカで再生することにより、聴感的に立体的な音像を再生できる。この左右２本の２チャネルの音響信号によるステレオを、ＬＲステレオと呼ぶことがある。このＬＲステレオの２チャネル音響信号を、ディジタルの通信や放送に用いるためには、ディジタル信号に符号化して、伝送する必要がある。ＬＲステレオの場合、（イ）モノラル信号の符号化方式を用いて、２チャネルの信号を別々に符号化する方法、（ロ）ＬＲチャネル信号間の冗長性を利用して符号化効率を上げるなど、２チャネルをまとめて符号化する方法、（ハ）別の２チャネルに変換して符号化する方法が挙げられる。（ハ）の例として、非特許文献１記載のステレオ信号符号化装置、及びステレオ信号復号装置がある。非特許文献１記載のステレオ信号符号化装置、及びステレオ信号復号装置について図１、図２、図３を用いて説明する。図１は従来（非特許文献１）のステレオ信号符号化装置８０、ステレオ信号復号装置９０の構成を示すブロック図である。図２は従来（非特許文献１）のステレオ信号符号化装置８０の動作を示すフローチャートである。図３は従来（非特許文献１）のステレオ信号復号装置９０の動作を示すフローチャートである。
【０００３】
ステレオ信号符号化装置８０は、ＬＲ−ＭＳ変換部８１と、Ｍチャネル符号化部８２と、Ｓチャネル符号化部８３と、マルチプレクサ８４とを備える。ステレオ信号復号装置９０は、デマルチプレクサ９１と、Ｍチャネル復号部９２と、Ｓチャネル復号部９３と、ＭＳ−ＬＲ変換部９４とを備える。
【０００４】
ステレオ信号符号化装置８０のＬＲ−ＭＳ変換部８１は、入力されたＬチャネル信号と入力されたＲチャネル信号の和信号及び差信号をそれぞれＭ（ｍｉｄ）チャネル信号、Ｓ（ｓｉｄｅ）チャネル信号として求める（Ｓ８１）。もしくは、入力されたＬチャネル信号と入力されたＲチャネル信号の和信号及び差信号に定数を乗じた信号をＭ（ｍｉｄ）チャネル信号、Ｓ（ｓｉｄｅ）チャネル信号とすることもできる。例えば、Ｌチャネル信号をｓｌ、Ｒチャネル信号をｓｒとして、以下の変換式でＭチャネル信号ｓｍとＳチャネル信号ｓｓを求める。
【０００５】
【数１】
2013003330.tif 000003
【０００６】
得られたＭチャネル信号とＳチャネル信号は、それぞれＭチャネル符号化部８２、Ｓチャネル符号化部８３に入力される。Ｍチャネル符号化部８２は、入力されたＭチャネル信号を符号化してＭチャネル符号を得る（Ｓ８２）。Ｓチャネル符号化部８３は、入力されたＳチャネル信号を符号化してＳチャネル符号を得る（Ｓ８３）。得られたＭチャネル符号、Ｓチャネル符号はマルチプレクサ８４に入力される。マルチプレクサ８４は、Ｍチャネル符号とＳチャネル符号とを出力ビットストリームにまとめて出力する（Ｓ８４）。
【０００７】
出力ビットストリームはステレオ信号復号装置９０に入力される。入力ビットストリームは、デマルチプレクサ９１に入力される。デマルチプレクサ９１は、入力ビットストリームからＭチャネル符号と、Ｓチャネル符号とを取り出す（Ｓ９１）。取り出されたＭチャネル符号とＳチャネル符号は、それぞれＭチャネル復号部９２、Ｓチャネル復号部９３に入力される。Ｍチャネル復号部９２は入力されたＭチャネル符号を復号してＭチャネル信号を得る（Ｓ９２）。Ｓチャネル復号部９３は入力されたＳチャネル符号を復号してＳチャネル信号を得る（Ｓ９３）。得られたＭチャネル信号、Ｓチャネル信号はＭＳ−ＬＲ変換部９４に入力される。ＭＳ−ＬＲ変換部９４は、入力されたＭチャネル信号とＳチャネル信号の和信号及び差信号からそれぞれＬチャネル信号、Ｒチャネル信号を得る（Ｓ９４）。もしくは、ＭＳ−ＬＲ変換部９４は、入力されたＭチャネル信号とＳチャネル信号の和信号及び差信号に定数を乗じてＬチャネル信号とＲチャネル信号を得る（Ｓ９４）。式（１）の変換に対応する以下の逆変換の式（２）により、符号化に伴う誤差がなければ、Ｍチャネル信号とＳチャネル信号からステレオ信号符号化装置８０に入力されたＬチャネル信号とＲチャネル信号と全く同じ出力信号をステレオ信号復号装置９０で求めることができる。
【０００８】
【数２】
2013003330.tif 000004
【０００９】
Ｍチャネル信号は、Ｌチャネル信号とＲチャネル信号をミックスしたモノラル信号として取り扱うことができるため、モノラル再生しかできない装置においては、Ｍチャネル符号を復号して得られるＭチャネル信号のみを再生すればよい。これに対し、入力されたＬチャネルの信号とＲチャネルの信号を別々に符号化する上述（イ）の方法でモノラル再生をするには、Ｌチャネルの符号とＲチャネルの符号の双方を復号してＬチャネル信号とＲチャネル信号との双方を得て、これらの出力信号を足し合わせるなどして、モノラル信号を求める必要がある。つまり、Ｍチャネルの信号とＳチャネルの信号を符号化する方法は、モノラル再生との互換性の面でメリットがある。
【先行技術文献】
【特許文献】
【００１０】
【特許文献１】特許第３３３５６０５号公報
【特許文献２】特開２００７−０７９４８３号公報
【非特許文献】
【００１１】
【非特許文献１】守谷健弘著、「音声符号化」、電子情報通信学会、p167
【発明の概要】
【発明が解決しようとする課題】
【００１２】
しかしながら、上述の従来技術には以下の課題がある。上述したように、Ｌチャネル信号とＲチャネル信号をＭチャネル信号とＳチャネル信号に変換して符号化する場合、符号化における量子化誤差がなければ、Ｍチャネル符号とＳチャネル符号を復号してＭチャネル信号とＳチャネル信号を得た後に、Ｍチャネル信号とＳチャネル信号からＬチャネル信号とＲチャネル信号に逆変換することで、ステレオ信号符号化装置８０の入力信号と全く同じＬチャネル信号とＲチャネル信号を得ることができる。ここで、符号化における量子化誤差を考慮すると、Ｍチャネル信号とＳチャネル信号を求めて、それぞれを符号化、復号して得られるＭチャネル信号とＳチャネル信号をそれぞれｓ’ｍ、ｓ’ｓと、Ｍチャネル信号とＳチャネル信号の量子化誤差をｄｍ、ｄｓとすると、
【００１３】
【数３】
2013003330.tif 000005
【００１４】
で表される。また、符号化における量子化誤差を考慮した場合のステレオ信号復号装置９０のステップＳ９４において逆変換してえられるＬチャネル信号、Ｒチャネル信号をそれぞれｓ’ｌ、ｓ’ｒとすると、
【００１５】
【数４】
2013003330.tif 000006
【００１６】
で求められる。ここで、ステレオ信号符号化装置８０への入力信号がｓｌ＞＞ｓｒの関係だった場合、（１）式から
【００１７】
【数５】
2013003330.tif 000007
【００１８】
となる。信号ｘを量子化した際の誤差をｏ（ｘ）、信号ｙの期待値のオーダをＯ（ｙ）と表すとすると、ｓｌ／２の量子化誤差ｏ（ｓｌ／２）とｄｍ、ｄｓは期待値のオーダがほぼ等しく、
【００１９】
【数６】
2013003330.tif 000008
【００２０】
といえる。各チャネルの符号化部における量子化の性能が、モノラルの入力信号ｓと量子化誤差ｄに対して、Ｏ（ｓ＋ｄ）＞＞Ｏ（ｄ）を満たせる性能を有し、その条件で聴感的にも量子化誤差が検知されないとすると、（４）式に基づき、復号後のＭチャネル信号とＳチャネル信号から求めた逆変換後のＬチャネル信号ｓ’ｌについて、
【００２１】
【数７】
2013003330.tif 000009
【００２２】
を満たせるため、聴感的に量子化誤差は検知されない。しかしながら、Ｒチャネル信号ｓ’ｒについては、一般的に理想的な量子化が行われた際の量子化誤差ｄｍとｄｓは白色で、お互い統計的に無相関なため、
【００２３】
【数８】
2013003330.tif 000010
であることから、
【数９】
2013003330.tif 000011
【００２４】
となり、ｓｒとｏ（ｓｌ／２）の大小関係によっては、Ｏ（ｓ’ｒ）＞＞Ｏ（ｄｍ―ｄｓ）が成り立たない、つまり、Ｒチャネルで聴感的に量子化誤差が検知されることになる。これは、モノラル信号に対する符号化部における量子化の性能が聴感的に十分であっても、同じ量子化性能の符号化部をＭチャネル信号とＳチャネル信号の符号化に適用した場合、Ｌチャネル信号とＲチャネル信号とのレベル差が大きい条件で、レベルが低いチャネルにおいて量子化誤差が聞こえることを示している。
この課題を解決するため、特許文献１において、ステレオのＬチャネルとＲチャネルの信号をＭチャネルとＳチャネルの信号に変換し、それぞれの信号を一括でベクトル量子化する際に、ＭチャネルとＳチャネルの信号の類似度を計算し、上記類似度に応じたベクトル量子化の重み付けを変更することでＭチャネルとＳチャネルの符号化ビット配分を適応的に制御する手法が開示されている。また、特許文献２において、ＬチャネルとＲチャネルの信号の相関性（類似性）に基づいてＳチャネル信号を符号化するステレオ化領域を求め、このステレオ化領域でＳチャネル信号を符号化してステレオ信号符号化列を出力する手法が示されている。ただし、これらの手法は、類似度もしくはステレオ化領域を表す情報を符号化し、ステレオ信号復号装置に送信すると共に、ステレオ信号復号装置において、これらの情報を用いて、正しく復号を行う仕組みを有する必要があった。このことはつまり、特許文献１、２においては、符号化（送信）側、復号（受信）側それぞれにおいて、特許文献１、２記載の機能を備える装置を用いて通信を行わなければ所望の効果が得られないことを意味している。このため、ステレオ信号復号装置の構成が複雑化し、ハードウェア資源などのコストが増大していた。また、特許文献１や特許文献２においては、受信側のステレオ信号復号装置９０を旧来のままとして用いることができないため、受信側と送信側それぞれの事情が異なる場合に、これに配慮して送信側のステレオ信号符号化装置８０のみを改良して用いることができない点が問題であった。
そこで本発明では、ステレオ信号復号装置において従来と異なる処理を行わなくても、Ｌチャネルの信号レベルとＲチャネルの信号レベルに偏りが大きい場合に生じる量子化雑音を聴こえ難くすることができるステレオ信号符号化装置を提供することを目的とする。
【課題を解決するための手段】
【００２５】
本発明のステレオ信号符号化装置は、Ｌチャネル信号とＲチャネル信号とを入力とする。本発明のステレオ信号符号化装置は、Ｍチャネル符号化部と、Ｓチャネル符号化部とを備える。Ｍチャネル符号化部は、入力された２つのチャネルの信号の和信号（以下、Ｍチャネル信号という）を符号化する。Ｓチャネル符号化部は、入力された２つのチャネルの信号の差信号（以下、Ｓチャネル信号という）に、２つのチャネルの信号のレベル比またはレベル差が大きくなるほど小さな値をとる重み付け係数γを乗じた信号を符号化する。
【発明の効果】
【００２６】
本発明のステレオ信号符号化装置によれば、ステレオ信号復号装置において従来と異なる処理を行わなくても、Ｌチャネルの信号レベルとＲチャネルの信号レベルに偏りが大きい場合に生じる量子化雑音を聴こえ難くすることができる。
【図面の簡単な説明】
【００２７】
【図１】従来のステレオ信号符号化装置、ステレオ信号復号装置の構成を示すブロック図。
【図２】従来のステレオ信号符号化装置の動作を示すフローチャート。
【図３】従来のステレオ信号復号装置の動作を示すフローチャート。
【図４】実施例１に係るステレオ信号符号化装置、ステレオ信号復号装置の構成を示すブロック図。
【図５】実施例１に係るステレオ信号符号化装置の動作を示すフローチャート。
【発明を実施するための形態】
【００２８】
以下、本発明の実施の形態について、詳細に説明する。なお、同じ機能を有する構成部には同じ番号を付し、重複説明を省略する。
【００２９】
＜用語の説明＞
本明細書において用語「レベル比」は、大きいレベルのチャネルのレベル値を分子、小さいレベルのチャネルのレベル値を分母として除算した値を表すものとする。また「レベル差」は、大きいレベルのチャネルのレベル値から小さいレベルのチャネルのレベル値を差し引いた値を表すものとする。
【実施例１】
【００３０】
図４、図５を参照して、本実施例に係るステレオ信号符号化装置１００、ステレオ信号復号装置９０について説明する。図４は本実施例に係るステレオ信号符号化装置１００、ステレオ信号復号装置９０の構成を示すブロック図である。図５は本実施例に係るステレオ信号符号化装置１００の動作を示すフローチャートである。本実施例のステレオ信号符号化装置１００は、ＬＲ−ＭＳ変換部８１と、Ｍチャネル符号化部８２と、Ｓチャネル符号化部１０と、マルチプレクサ８４とを備える。Ｓチャネル符号化部１０は、レベル比計算手段１１と、重み付け係数計算手段１２と、符号化手段１３とを備える。ステレオ信号復号装置９０は、デマルチプレクサ９１と、Ｍチャネル復号部９２と、Ｓチャネル復号部９３と、ＭＳ−ＬＲ変換部９４とを備える。ステレオ信号符号化装置１００のＬＲ−ＭＳ変換部８１と、Ｍチャネル符号化部８２と、マルチプレクサ８４は従来技術のステレオ信号符号化装置８０における同一番号を付した各構成部と機能が同一である。また、本実施例のステレオ信号復号装置９０は従来技術のステレオ信号復号装置９０と同一である。本実施例のステレオ信号符号化装置１００は、従来のステレオ信号符号化装置８０と同様にＬチャネル信号とＲチャネル信号とを入力とする。ＬＲ−ＭＳ変換部８１は、入力されたＬチャネル信号ｓｌとＲチャネル信号ｓｒとからＭチャネル信号ｓｍとＳチャネル信号ｓｓとを生成する（Ｓ８１）。（１）式ではｓｌとｓｒの和と差のそれぞれを２で割ったものをＭチャネル信号ｓｍとＳチャネル信号ｓｓとするが、２を任意の値で置き換えることができる。ただし、任意の値をｋとすると、（１）式は以下の（６）式となり、
【００３１】
【数１０】
2013003330.tif 000012
【００３２】
逆変換の（２）式も、以下の（７）式で置き換える必要がある。
【００３３】
【数１１】
2013003330.tif 000013
【００３４】
また、ｓｌ、ｓｒの符号を独立に反転した式でもかまわない。ただし、上記と同様に変換の式に対応する逆変換の式を用意する必要がある。次に、Ｍチャネル符号化部８２は、入力されたＭチャネル信号を符号化してＭチャネル符号を得る（Ｓ８２）。次に、レベル比計算手段１１はＬチャネル信号とＲチャネル信号のレベル比を計算する（ＳＳ１１）。レベルの計算は、サンプル単位のパワー、絶対値、もしくはサンプルをいくつかまとめたブロック単位でパワー、もしくは振幅の絶対値の和を求める。ここでレベルはそれらの値のｎ乗、ｎ乗根、ｌｏｇ値を取ったものでもかまわない。得られたＬチャネルのレベル値Ｌｌ、Ｒチャネルのレベル値Ｌｒから以下の式でレベル比ｒを求める。
【００３５】
【数１２】
2013003330.tif 000014
【００３６】
ここで、ｒｍａｘはレベル比の最大値とする。また、比の代わりに、差を求めてもよい。次に、レベル比ｒを入力として、重み付け係数計算手段１２は、Ｌチャネル信号とＲチャネル信号のレベル比に応じて、Ｓチャネル信号に施すべき重み付け係数γを求める（ＳＳ１２）。ここでは、レベル比に基づいて、重み付け係数を適応的に変動させるため、以下の式に基づいて、重み付け係数γを決定する。ここで、ｒｈｉｇｈをレベル比ｒの上限しきい値、ｒｌｏｗをレベル比ｒの下限しきい値、γｍａｘを重み付け係数γの最大値（０＜γｍａｘ≦１）、γｍｉｎを重み付け係数γの最小値（０＜γｍｉｎ＜１）とする。
【００３７】
【数１３】
2013003330.tif 000015
【００３８】
例えば、γｍｉｎ＝０．８、γｍａｘ＝１．０、ｒｈｉｇｈ＝２０、ｒｌｏｗ＝１０と設定した場合は、（９）式は以下のように表すことができる。
【００３９】
【数１４】
2013003330.tif 000016
【００４０】
重み付け係数乗算手段１２は、得られた重み付け係数γをＳチャネル信号のみに乗じて、新たにＳチャネルの符号化対象の信号とする（ＳＳ１２）。変換の式を（１）式とする場合、以下を符号化対象とする。
【００４１】
【数１５】
2013003330.tif 000017
【００４２】
ただし、逆変換の式は（２）式のままとする。ここで、ＭＳチャネル信号への変換式を（６）式、ＬＲチャネル信号への逆変換の式を（７）式とすると、（１１）式は、
【００４３】
【数１６】
2013003330.tif 000018
【００４４】
とすることもできる。（１１’）式は、重み付け係数α＝１／ｋとすると、以下のように表すこともできる。
【００４５】
【数１７】
2013003330.tif 000019
【００４６】
符号化手段１３は、（１１）式により計算された信号ssを符号化してＳチャネル符号を得る（ＳＳ１３）。得られたＭチャネル符号、Ｓチャネル符号はマルチプレクサ８４に入力される。マルチプレクサ８４は、Ｍチャネル符号とＳチャネル符号とを出力ビットストリームにまとめて出力する（Ｓ８４）。
【００４７】
上述の従来技術と同様に、出力ビットストリームはステレオ信号復号装置９０のデマルチプレクサ９１に入力される。デマルチプレクサ９１は、入力ビットストリームからＭチャネル符号と、Ｓチャネル符号とを取り出す（Ｓ９１）。取り出されたＭチャネル符号とＳチャネル符号は、それぞれＭチャネル復号部９２、Ｓチャネル復号部９３に入力される。Ｍチャネル復号化部９２は入力されたＭチャネル符号を復号してＭチャネル信号を得る（Ｓ９２）。Ｓチャネル復号部９３は入力されたＳチャネル符号を復号してＳチャネル信号を得る（Ｓ９３）。得られたＭチャネル信号、Ｓチャネル信号はＭＳ−ＬＲ変換部９４に入力される。ＭＳ−ＬＲ変換部９４は、入力されたＭチャネル信号とＳチャネル信号の和信号及び差信号からそれぞれＬチャネル信号、Ｒチャネル信号を得る（Ｓ９４）。もしくは、ＭＳ−ＬＲ変換部９４は、入力されたＭチャネル信号とＳチャネル信号の和信号及び差信号に定数を乗じてＬチャネル信号とＲチャネル信号を得る（Ｓ９４）。上述のように、ステレオ信号符号化装置１００、およびステレオ信号復号装置９０を構成したことによる効果について以下に詳細に検討する。
【００４８】
具体例として、重み付け係数γを導入した変換（ＬＲチャネル信号からＭＳチャネル信号への変換）の式を（１１）式、逆変換（ＭＳチャネル信号からＬＲチャネル信号への逆変換）の式を（２）式とすると、ステレオ信号符号化装置１００のステップＳ８１におけるＬＲチャネル信号からＭＳチャネル信号に変換後、量子化誤差を考慮せずに、ステレオ信号復号装置９０のステップＳ９４における逆変換で得られる新たなＬＲチャネルの信号
【００４９】
【数１８】
2013003330.tif 000020
は以下となる。
【数１９】
2013003330.tif 000021
【００５０】
これは、ステレオ信号復号装置９０側で得られるＬＲチャネルの信号
【００５１】
【数２０】
2013003330.tif 000022
【００５２】
は、γによって定められる係数でｓｌとｓｒをミックスして得られることを示している。例えば、レベル比ｒが２０以上の場合、上記（１０）式の条件下でγを求めるとγ＝０．８となり、（１２）式は以下の（１３）式で表わされる。
【００５３】
【数２１】
2013003330.tif 000023
【００５４】
出力側の新たなＬチャネル信号は、入力側のＬチャネル信号とＲチャネル信号を９：１でミックスしたもの、出力側の新たなＲチャネル信号は、入力側のＬチャネル信号とＲチャネル信号を１：９でミックスしたものと等しい。これは、ＬＲチャネル間にレベルの違いがある場合、ｓｌ、ｓｒのどちらのレベルが高い場合でも、レベルの高いチャネルの信号がレベルの低いチャネルの信号に足し合わされて、受信側で再生されることを意味する。このようにレベルの高いチャネルの信号をレベルの低いチャネルにミックスすることで、レベルの違いが顕著な際にレベルの低いチャネルで聞こえる量子化雑音を、マスキングして聴こえ難くすることができる。なお、上記（１０）式の条件下でレベル比ｒが１０以下の場合はγ＝１．０となり、（１１）式は（１）式と全く等価になるため、ステレオ信号復号装置９０のステップＳ９４においては従来技術と同様のＬＲチャネル信号への逆変換が行われる。
【００５５】
次に、符号化における量子化誤差を考慮した場合について考える。上述のように、レベル比ｒが２０以上の場合であって、上記（１０）式の条件下でγ＝０．８の場合、ステレオ信号符号化装置１００のステップＳ８１における変換である（１１）式は
【００５６】
【数２２】
2013003330.tif 000024
【００５７】
となる。ここで得られたＭＳチャネルの信号を量子化した場合、（４）式から量子化されたＬＲチャネルの信号
【００５８】
【数２３】
2013003330.tif 000025
は以下の式で表わされる。
【数２４】
2013003330.tif 000026
【００５９】
ここで、ｓｌ＞＞ｓｒの関係の場合、量子化誤差ｄｍ、ｄｓはそれぞれ０．５ｓｌ、０．４ｓｌを量子化した誤差とほぼ等しく、
【００６０】
【数２５】
2013003330.tif 000027
となり、前述の（５）式と同様に、
【数２６】
2013003330.tif 000028
【００６１】
を満たせるため、聴感的に量子化誤差は検知されない。Ｒチャネル信号については、量子化誤差ｄｍとｄｓが統計的に無相関で
【００６２】
【数２７】
2013003330.tif 000029
【００６３】
であっても、量子化器の性能がＯ（ｓ＋ｄ）＞＞Ｏ（ｄ）を十分満たせれば、
【００６４】
【数２８】
2013003330.tif 000030
【００６５】
を満たすことは容易で、ｓｒとｏ（ｓｌ／２）の大小関係によらず、
【００６６】
【数２９】
2013003330.tif 000031
【００６７】
が成り立ち、つまり、Ｒチャネルでも聴感的に量子化誤差が検知されなくなる。従って、ＬＲチャネル間である一定以上レベルの違いがある場合のみ、ＬＲチャネルのレベルの違いに起因し、レベルが低いチャネルにおいて聞こえていた量子化誤差が、足しあわされたレベルの高いチャネルの信号にマスクされ、聴こえ難くなるという効果が得られる。
【００６８】
このように、入力信号の２つのチャネルのレベル比が大きいほど小さな値である重みγ（０＜γ≦１）をＳチャネルの信号に乗じてから符号化し、受信側で復号したＭＳチャネル信号を、従来法でＬＲチャネル信号に逆変換すると、特定の割合でＬＲチャネルをミックスした信号と等価な信号を、新たなＬＲチャネル信号として得られる。レベルの高いチャネルの信号をレベルの低いチャネルにミックスすることで、レベルの違いが顕著な際にレベルの低いチャネルで聞こえる量子化雑音を、マスキングして聴こえ難くすることができる。また、この重み付け処理はステレオ信号符号化装置１００のみで行うものであり、重み付け係数γを符号化して、ステレオ信号復号装置９０に伝送する必要はなく、また、ステレオ信号復号装置９０では従来の復号処理、ＭＳ−ＬＲ変換処理（Ｓ９１〜Ｓ９４）を行えばよく、何ら変更を加える必要がないため、従来の復号方式のままで効果を得ることができる。
【００６９】
また、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００７０】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００７１】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００７２】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００７３】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００７４】
また、この形態では、コンピュータ上で所定のプログラムを実行させることにより、本装置を構成することとしたが、これらの処理内容の少なくとも一部をハードウェア的に実現することとしてもよい。
【図１】
2013003330.tif 000032
【図２】
2013003330.tif 000033
【図３】
2013003330.tif 000034
【図４】
2013003330.tif 000035
【図５】
2013003330.tif 000036